(57)【特許請求の範囲】
【請求項１】
フードアウターおよびフードインナーを備えたフードがフロントガラス下端近傍を支点として上下に開閉可能に配設されると共に、前記フードの下方にラジコアロアメンバーが配設された車両のフロントエンド構造において、前記ラジコアロアメンバーとフードインナーとの間で冷熱器が冷熱器下端マウント用部材および冷熱器上端マウント用部材を介して挟持されると共に、前記ラジコアロアメンバーに前記冷熱器下端マウント用部材を支点として前記冷熱器を前傾および後方移動可能に支持する冷熱器支持部が設けられ、且つ、前記フードインナーにフード閉止時に前記冷熱器上端マウント用部材を支持する冷熱器支持部が設けられ、荷重入力時に前記フードインナーの前記冷熱器支持部後部の保持状態を解除するフードインナー部材が前記フードに設けられ、フード開放時に前記冷熱器の定常位置および前傾位置を規制する冷熱器位置決機構が設けられ、前記冷熱器の前傾を阻害しない位置にフードロック機構が設けられたことを特徴とする車両のフロントエンド構造。
【請求項２】
前記ラジコアロアメンバーの冷熱器支持部は、車両前方部分が略半円形で車両後方部分が車両前方部分よりも狭くなる平面視略卵型形状を呈すると共に、車両前方部分の前方に冷熱器下端マウント用部材を開放可能な開放溝を有し、前記冷熱器下端マウント用部材は、略円形断面で後方が前方よりも厚肉となっていることを特徴とする請求項１記載の車両のフロントエンド構造。
【請求項３】
前記フードインナーの冷熱器支持部は、後縁部が前縁部よりも浅いエンボス構造であることを特徴とする請求項１または２記載の車両のフロントエンド構造。
【請求項４】
前記フードの冷熱器支持部は、後縁部が前縁部よりも薄肉となっていることを特徴とする請求項１または２記載の車両のフロントエンド構造。
【請求項５】
前記フードインナー部材は、フードアウター側からフードインナー側へ向かって突出する側面視略凸状の板材または発泡ウレタン等の衝撃吸収材からなることを特徴とする請求項１ないし４のいずれか１項に記載の車両のフロントエンド構造。
【請求項６】
前記冷熱器位置決機構は、フード閉止時に冷熱器を定常位置に保持する定常位置保持部と、フード開放時に冷熱器を前傾位置に保持する前傾位置保持部と、定常位置保持部から前傾位置保持部への冷熱器の移動を規制するスライド溝と、定常位置保持部の後方に形成された後方へ進むに従って溝幅が大きくなる後方移動開放溝とを有することを特徴とする請求項１ないし５のいずれか１項に記載の車両のフロントエンド構造。
【請求項７】
前記フードロック機構は、冷熱器が直列配置の場合には冷熱器の略車両中央位置に一体に取付けられ、冷熱器が左右並列配置の場合には一方の冷熱器の略車両中央寄り位置に一体に取付けられたことを特徴とする請求項１ないし６のいずれか１項に記載の車両のフロントエンド構造。
【発明の詳細な説明】
【０００１】
【発明の属する技術分野】
この発明は、車両のフロントエンド構造に関するものである。
【０００２】
【従来の技術】
自動車等の車両にはフロントエンド部分にラジエータやコンデンサー等の冷熱器を備えている。
【０００３】
従来の車両のフロントエンド構造には、特許第２６０５３４７号に示すように、車体に設けたブラケット１とラジエータ２に設けたステー３とを係合させてラジエータ２を揺動可能に支持し、エンジン搭載性を向上したもの（図２３）や、特開平１０−２５２４７３号公報に示すように、作業車において、ラジエータ４前方にあるオイルクーラ５をワンタッチで前方（外側）に回転可能に支持し、両者間に溜まった草やホコリを掃除しやすくしたものや（図２４）、特開２００１−１５０９６１号公報に示すように、車両フロント部に荷重が入力されたときにラジエータ６が後方に回転して衝撃を吸収し、その際フロントグリル７に設けた突起８でラジエータ６を押してラジエータ６が回転しやすくなるようにしたもの（図２５）等が知られている。
【０００４】
【発明が解決しようとする課題】
しかしながら、このような従来の車両のフロントエンド構造では、ラジエータ等の冷熱器は、前後どちらか一方にのみ動き、前後両方に動く構造とはなっていなかった。また、整備性と荷重吸収性能の両方を考慮したものでもなかった。加えて、特許第２６０５３４７号や特開平１０−２５２４７３号公報のものは、冷熱器下部の回転支点部はピン式等の剛体構造であり、ややコスト高を招いている。また、整備の際の回転運動に関しては問題はないが、上方または前方から大きな荷重が入力された場合には、吸収しきれない可能性がある。一方、特開２００１−１５０９６１号公報のものは、ラジコアアッパーからラジエータ固定用のブラケットを出しているが、ラジコアアッパーが存在するため、整備性向上を達成しずらい。
【０００５】
そこで、本発明の目的は、上記の問題点を解消し、冷熱器を前後傾斜可能とし、フロントガラスを前方へ大きく前出ししたショートノーズ車等のユーザー整備性を向上させると共に荷重吸収性能を向上し、結果としてフロント周りの造形の自由度も向上させることのできる車両のフロントエンド構造を提供することにある。
【０００６】
【課題を解決するための手段】
上記課題を解決するために、請求項１に記載された発明では、フードアウターおよびフードインナーを備えたフードがフロントガラス下端近傍を支点として上下に開閉可能に配設されると共に、前記フードの下方にラジコアロアメンバーが配設された車両のフロントエンド構造において、前記ラジコアロアメンバーとフードインナーとの間で冷熱器が冷熱器下端マウント用部材および冷熱器上端マウント用部材を介して挟持されると共に、前記ラジコアロアメンバーに前記冷熱器下端マウント用部材を支点として前記冷熱器を前傾および後方移動可能に支持する冷熱器支持部が設けられ、且つ、前記フードインナーにフード閉止時に前記冷熱器上端マウント用部材を支持する冷熱器支持部が設けられ、荷重入力時に前記フードインナーの前記冷熱器支持部後部の保持状態を解除するフードインナー部材が前記フードに設けられ、フード開放時に前記冷熱器の定常位置および前傾位置を規制する冷熱器位置決機構が設けられ、前記冷熱器の前傾を阻害しない位置にフードロック機構が設けられた車両のフロントエンド構造を特徴としている。
【０００７】
このように構成された請求項１にかかる発明によれば、ラジコアアッパーをなくし、フードで直接冷熱器上端を支持するようにしたため、フードを開けると冷熱器は冷熱器位置決機構以外の拘束がなくなりフリーとなる。そこで、冷熱器位置決機構によって冷熱器を所定の前傾位置まで前傾させれば、フロントガラス下端と冷熱器とのクリアランスが拡がり、また、ラジコアアッパーがないため上方を遮るものもなく、奥にあって取り出しにくい部品も取り出すことができる。フードロック機構は冷熱器の前傾を阻害しない位置に設けているため、冷熱器は可撓性を有する冷熱器配管の耐久性保証範囲で大きく前傾させることができる。また、走行中に車両前方もしくは上方から荷重が入力されたとしても、フードに設けられたフードインナー部材がフードインナーの冷熱器支持部を変形させて冷熱器を後方へ開放し、荷重を効率的に吸収させる。冷熱器下端に対するラジコアロアメンバーの支持は冷熱器下端マウント用部材と冷熱器支持部との嵌合であり、剛体構造ではなくフリーであるため無理な力が作用することもない。冷熱器位置決機構は、冷熱器の前傾については規制しているが冷熱器の後方への移動は規制していないため、冷熱器に無理な力が作用することがなく、衝撃を吸収しやすい。また、冷熱器の損傷も防止することができる。以上により、フロントガラス下端と冷熱器とのクリアランスがないかまたは狭いエクステリアデザインの車、例えば、ショートノーズ車等で、バッテリー交換やヒューズ交換が困難な状況化であっても、フードを開け冷熱器をワンタッチで前傾させるだけの簡単な手順で部品交換や整備が容易となり、以て、整備性を向上することができる。同時に、車両前方もしくは上方からの荷重に対する荷重吸収性能を向上することができる。更に、その結果として、フロント周りの造形の自由度も向上させることが可能となる。
【０００８】
請求項２に記載された発明では、前記ラジコアロアメンバーの冷熱器支持部は、車両前方部分が略半円形で車両後方部分が車両前方部分よりも狭くなる平面視略卵型形状を呈すると共に、車両前方部分の前方に冷熱器下端マウント用部材を開放可能な開放溝を有し、前記冷熱器下端マウント用部材は、略円形断面で後方が前方よりも厚肉となっている請求項１記載の車両のフロントエンド構造を特徴としている。
【０００９】
このように構成された請求項２にかかる発明によれば、前記冷熱器支持部の車両後方部分と冷熱器下端マウント用部材との間に隙間ができるようになるので、冷熱器を前傾させた時に、冷熱器下端マウント用部材はこの隙間へ逃げることができ、冷熱器を前傾させやすくなる。また、冷熱器支持部は平面視略卵型形状をしているので、冷熱器を定常位置に戻す時に、冷熱器下端マウント用部材が狭くなった車両後方部分に押されて戻りやすい。この車両後方部分が狭くなった車両後方部分に挟まれる時に冷熱器下端マウント用部材に力が加わるため、冷熱器下端マウント用部材の後方を厚肉にすれば耐久性を向上させることができる。また、車両前方部分の前方に設けた開放溝により、車両前方もしくは上方から荷重が入力された場合に冷熱器下端マウント用部材の固定が開放されてその荷重を効果的に吸収することができる。
【００１０】
請求項３に記載された発明では、前記フードインナーの冷熱器支持部は、後縁部が前縁部よりも浅いエンボス構造である請求項１または２記載の車両のフロントエンド構造を特徴としている。
【００１１】
このように構成された請求項３にかかる発明によれば、前記フードインナーの冷熱器支持部を、後縁部が前縁部よりも浅いエンボス構造とすることにより、前方からの荷重をフードインナーを介して冷熱器へ伝わりやすくすることができ、且つ、冷熱器を後方へ開放しやすくすることができるため、車両前方もしくは上方からの荷重を効率的に吸収することが可能となる。
【００１２】
請求項４に記載された発明では、前記フードの冷熱器支持部は、後縁部が前縁部よりも薄肉となっている請求項１または２記載の車両のフロントエンド構造を特徴としている。
【００１３】
このように構成された請求項４にかかる発明によれば、前記フードの冷熱器支持部を、後縁部が前縁部よりも薄肉となるようにすることにより、荷重入力時に冷熱器を後方へ開放しやすくすることができる。
【００１４】
請求項５に記載された発明では、前記フードインナー部材は、フードアウター側からフードインナー側へ向かって突出する側面視略凸状の板材または発泡ウレタン等の衝撃吸収材からなる請求項１ないし４のいずれか１項に記載の車両のフロントエンド構造を特徴としている。
【００１５】
このように構成された請求項５にかかる発明によれば、前記フードアウターに入力された荷重をフードインナーへ伝達し、フードインナーの冷熱器支持部後部を引伸すことで冷熱器を後方へ開放することができる。
【００１６】
請求項６に記載された発明では、前記冷熱器位置決機構は、フード閉止時に冷熱器を定常位置に保持する定常位置保持部と、フード開放時に冷熱器を前傾位置に保持する前傾位置保持部と、定常位置保持部から前傾位置保持部への冷熱器の移動を規制するスライド溝と、定常位置保持部の後方に形成された後方へ進むに従って溝幅が大きくなる後方移動開放溝とを有する請求項１ないし５のいずれか１項に記載の車両のフロントエンド構造を特徴としている。
【００１７】
このように構成された請求項６にかかる発明によれば、前記定常位置保持部によって冷熱器を定常位置に仮保持することができるため、フード閉止時にフードインナーの冷熱器支持部と冷熱器上端マウント用部材との位置がずれることなく、フードを閉止することによる本保持を安定して行うことができる。また、前傾位置保持部によって冷熱器を無理な角度まで前傾させることがなく且つ可撓性を有する冷熱器配管の耐久性保証範囲で冷熱器を前傾させることができる。更に、後方移動開放溝により、荷重入力時に冷熱器を後方へ開放することができる。
【００１８】
請求項７に記載された発明では、前記フードロック機構は、冷熱器が直列配置の場合には冷熱器の略車両中央位置に一体に取付けられ、冷熱器が左右並列配置の場合には一方の冷熱器の略車両中央寄り位置に一体に取付けられた請求項１ないし６のいずれか１項に記載の車両のフロントエンド構造を特徴としている。
【００１９】
このように構成された請求項７にかかる発明によれば、前記フードロック機構を冷熱器と一体にしたため、冷熱器の前方傾斜角を大きく取ることができるようになると共に、車両前方もしくは上方から荷重が入力された時に、フードロック機構がフードや冷熱器と一緒に後方へ移動するので、その荷重を効果的に吸収することができる。
【００２０】
【発明の実施の形態】
以下、本発明の具体的な実施の形態について、図示例と共に説明する。
【００２１】
図１〜図１９は、この発明の実施の形態を示すものである。
【００２２】
まず、構成を説明すると、図１はフロントガラス１１の下端を大きく車両前方へ前出ししてフード１２を短くしたエクステリアデザインの車両１３、例えば、ミニバンやワンボックスカー等のショートノーズ車を示している。このショートノーズ車は、例えば、ハイブリッド車等であっても良い。
【００２３】
図２に示すように、この車両１３のフロントエンド部（フロントルーム１４）には、車両前後方向へ延びる一対のサイドメンバー１５が配設され、このサイドメンバー１５の前端間にはバンパ１６を支持するバンパレインフォース１７が架設されている。
【００２４】
そして、バンパレインフォース１７の下方で且つ車両１３後方にはラジコアロアメンバー１８が配設されている。ラジコアロアメンバー１８は、プレス成形または樹脂成形されたものである。このラジコアロアメンバー１８の部分には、冷熱器１９，２０が配設されている。この冷熱器１９，２０は、図２では２個左右並列配置となっている。この場合、冷熱器１９，２０は、例えば、エンジン冷却用ラジエータ２１と、強電用ラジエータ２２とで構成されている。なお、ハイブリッド車ではラジエータが複数枚必要になるし、それ以外でもエンジン出力向上に伴ってラジエータが大型化する傾向にあるので、フロントガラス１１下端と冷熱器１９，２０との狭いクリアランスに対して冷熱器１９，２０がかなりのスペースを占有した状態となっている。
【００２５】
この冷熱器１９，２０とフロントガラス１１の下端との間には、ユーザが日常点検するものとして、強電用ラジエータ２２のための冷却水リザーバタンク２３、ブレーキオイルリザーバタンク２４、ウォッシャータンク２５等が配設されている。これらは、フード１２を開ければすぐに点検できるように、一番表面側に配置される。また、ユーザが日常点検ほど頻繁ではないが整備交換するものとして、バッテリー２６、リレー・ヒューズボックス２７等が配設されている。バッテリー２６は、車室内に置くと居住スペースや荷物積載スペースが損われてしまうので、フロントルーム１４に置かれている。また、リレー・ヒューズボックス２７は、ランプ等電装制御対象に近い方がハーネスが短くて済むため、ものによってはフロントルーム１４に置くようにしている。そして、ディーラーで整備交換するものとして、電動ウォータポンプや電動負圧ポンプや電動コンプレッサー等の電装部品が配設されている。これらは、日常点検する部品よりは奥に配置される。なお、ショートノーズ車では、フロントガラス１１下端と冷熱器１９，２０とのクリアランスが狭いためこれらは最も奥に配置され、点検整備が困難となっている。これらは図示を省略されている。その他に、エアボックス２８またはエアコンダクト等が配設されている。なお、エンジン等の駆動または発電ユニットはフロントルーム１４に設けてもリヤルームに設けても良い。
【００２６】
そして、図３、図４に示すように、フード１２は、フードアウター３１およびフードインナー３２を備えている。また、フードインナー３２には、フードロックストライカー３３が取付けられている。冷熱器１９のエンジン冷却用ラジエータ２１の前部にはコンデンサー３４が、また、後部には冷却ファン３５がボルトで固定されて一体化されている。冷熱器２０の強電用ラジエータ２２の後部には冷却ファン３５がボルトで固定され一体化されている。
【００２７】
この実施の形態のものでは、図４に示すように、冷熱器１９，２０の下端に冷熱器下端マウント用部材４１（冷熱器下端マウント用ラバー）が取付けられ、冷熱器１９，２０の上端に冷熱器上端マウント用部材４２（冷熱器上端マウント用ラバー）が取付けられている。そして、ラジコアロアメンバー１８とフードインナー３２との間で冷熱器下端マウント用部材４１および冷熱器上端マウント用部材４２を介して冷熱器１９，２０が直接的に挟持されている。この際、ラジコアロアメンバー１８に冷熱器１９，２０下端の冷熱器下端マウント用部材４１を支点として冷熱器１９，２０を前後傾および後方移動可能に支持する冷熱器支持部４３を設けている。
【００２８】
そして、冷熱器１９，２０の前後傾および後方移動に伴い、冷熱器１９，２０のコンデンサー３４や各ラジエータ２１，２２の上下のタンク部には可撓性を有する冷熱器配管４４，４５が接続されている。この冷熱器配管４４，４５は、通常のゴムホースであり、冷熱器１９，２０の前傾分だけ余長を持たせたものである。なお、冷熱器配管４４，４５は、冷熱器１９，２０の前傾を繰返した時の耐久性を考慮した設計とする。
【００２９】
上記のラジコアロアメンバー１８の冷熱器支持部４３は、図５、図６に示すように、車両前方部分４６が略半円形で車両後方部分４７が車両前方部分４６よりも狭くなる平面視略卵型形状を呈して、冷熱器下端マウント用部材４１を収容可能としている。また、冷熱器支持部４３は、車両前方部分４６の前方に冷熱器下端マウント用部材４１を開放可能な開放溝４８を有している。一方、冷熱器支持部４３へ挿入可能な冷熱器下端マウント用部材４１は、略円形断面を有している。冷熱器下端マウント用部材４１には冷熱器１９，２０下端から下方へ延びるピン４９を挿入可能なピン穴５０が形成されている。このピン穴５０は、車両１３前方に偏心しており、冷熱器下端マウント用部材４１のピン穴５０よりも後方の部分５１は、前方の部分５２よりも厚肉となっている。
【００３０】
フードインナー３２には、図４に示すように、フード１２閉止時に冷熱器１９，２０上端の冷熱器上端マウント用部材４２を収容して支持する凹状の冷熱器支持部５５が設けられている。
【００３１】
この冷熱器支持部５５は、図７〜図９に示すように、プレス成形されたエンボス構造のものであり、前縁部５６が冷熱器上端マウント用部材４２と略等しい支持深さを有し、後縁部５７が前縁部５６よりも浅い支持深さを有している。この後縁部５７の支持深さは、フード１２閉止時やフード１２を開放した瞬間等に冷熱器１９，２０が動かないように確実に支持すると共に、荷重入力時に冷熱器１９，２０を開放して後方へ移動させやすいようにする深さに決定する。
【００３２】
以上により、冷熱器１９，２０の上端および下端はそれぞれ、フード１２によって押さえ付けられるようにして固定される。
【００３３】
更に、図３、図４に示すように、荷重入力時にフードインナー３２の冷熱器支持部５５よりも後部を引伸して冷熱器１９，２０上端に対する保持状態を解除するフードインナー部材６１がフードアウター３１とフードインナー３２との間に設けられている。
【００３４】
このフードインナー部材６１は、フードアウター３１側からフードインナー３２側へ向かって突出する側面視略凸状の、プレス成形された板材または発泡ウレタン等の衝撃吸収材で構成する。このフードインナー部材６１は、フードアウター３１に接着剤等で固定される。このフードインナー部材６１は、例えば、図１０に示すように、冷熱器上端マウント用部材４２と対応する箇所（冷熱器１９，２０上端を４点で支持する場合には４箇所）にのみ部分的に固定されている。
【００３５】
そして、図１１〜図１４に示すように、フード１２開放時に冷熱器１９，２０の定常位置および前傾位置を規制する冷熱器位置決機構６５が設けられている。この冷熱器位置決機構６５は、各冷熱器１９，２０の両側部あるいは一方の側部に設けられる簡単な仮保持装置である。
【００３６】
この冷熱器位置決機構６５は、サイドメンバー１５等の上面に溶接またはボルト止めされた位置決機構本体６６を備えている。この位置決機構本体６６は、図１３に示すように、フード１２閉止時に冷熱器１９，２０を定常位置に保持する定常位置保持部６７と、フード１２開放時に冷熱器１９，２０を前傾位置に保持する前傾位置保持部６８と、定常位置保持部６７から前傾位置保持部６８への冷熱器１９，２０の移動を案内・規制するスライド溝６９とを有している。定常位置保持部６７と前傾位置保持部６８との周囲にはスライド溝６９との境界となる小突起７０が設けられている。また、定常位置保持部６７の後方には、後方へ進むに従って溝幅が大きくなる後方移動開放溝７１を有している。
【００３７】
一方、冷熱器１９，２０の側には、図１２、図１４に示すように、先端をバルジ処理されたＬ字型チューブ７５の垂直部が固定板７６を介してロー付けまたはボルト止めされる。このＬ字型チューブ７５の水平部には振動防止部材７７が取付けられ、この振動防止部材７７がカラー７８を介して位置決機構本体６６のスライド溝６９等にスライド可能に嵌合されている。
【００３８】
更に、図２〜図４に示すように、冷熱器１９，２０の前傾を阻害しない位置に、フードロックストライカー３３と噛み合ってロックするフードロック機構８０が設けられている。
【００３９】
このフードロック機構８０は、図２に示すように、冷熱器１９，２０が左右並列配置の場合には一方の冷熱器１９，２０の略車両１３中央寄り位置に一体に取付けられる。
【００４０】
次に、この実施の形態の作用について説明する。
【００４１】
フロントルーム１４の内部の部品を整備交換する場合には、図１５に示すように、フード１２を開ける。すると、フード１２によって上方から押さえ付けて固定されていた冷熱器１９，２０は、押さえ付けるものがなくなるため、冷熱器１９，２０側部の冷熱器位置決機構６５と冷熱器１９，２０下端の冷熱器下端マウント用部材４１で保持されている状態となり、前後に傾斜可能な状態となる。冷熱器１９，２０は、冷熱器下端マウント用部材４１を支点として、冷熱器位置決機構６５のスライド溝６９に沿って動き、前傾させることが可能となる。フード１２を開け閉めする時には冷熱器１９，２０は定常位置にし、フロントルーム１４の内部の部品を整備交換する時には冷熱器１９，２０は前傾位置にする。この冷熱器１９，２０の移動は、ユーザや整備士が手動で行う。なお、フードロック機構８０を冷熱器１９，２０と一体にしたことにより、フードロック機構８０が冷熱器１９，２０の前傾を阻害することがない。
【００４２】
そして、冷熱器１９，２０が定常位置にある時には、図１６（ａ）、図１７（ａ）に示すように、冷熱器下端マウント用部材４１は、冷熱器支持部４３の略半円形の車両前方部分４６に位置している。冷熱器支持部４３の車両後方部分４７は狭いので、力を加えなければ冷熱器１９，２０は、後方へ傾動せずに定常位置に止まっている。
【００４３】
フード１２を開け、冷熱器１９，２０に力を加えて前傾させると、図１６（ｂ）、図１７（ｂ）に示すように、冷熱器下端マウント用部材４１は冷熱器支持部４３の車両後方部分４７に押しやられる。すると、冷熱器支持部４３の車両後方部分４７は狭くなっているので、図１６（ｃ）、図１７（ｃ）に示すように、冷熱器下端マウント用部材４１は冷熱器支持部４３の車両後方部分４７から力を受け、車両前方部分４６に戻ろうとする。よって、少ない力で冷熱器１９，２０を定常位置に戻すことができる。冷熱器下端マウント用部材４１の後方の部分５１は、前方の部分５２よりも厚肉として耐久性を向上させるようにする。
【００４４】
図１８（ａ）、図１９（ａ）に示すように、走行中に車両１３前方もしくは上方から荷重が入力された場合、フードインナー３２の冷熱器支持部５５の前縁部５６が冷熱器上端マウント用部材４２を介して冷熱器１９，２０を後方へ押す。すると、図１８（ｂ）、図１９（ｂ）に示すように、側面視略凸状のフードインナー部材６１がフードインナー３２の後部を後方へ押出し、冷熱器支持部５５後部を引伸して冷熱器１９，２０上端に対する保持状態を解除する。この時、冷熱器１９，２０は、冷熱器下端マウント用部材４１および冷熱器支持部４３を支点として後傾している。そして、図１８（ｃ）、図１９（ｃ）に示すように、更にフード１２の変形が進むと、冷熱器下端マウント用部材４１および冷熱器支持部４３を支点として冷熱器１９，２０は更に後傾し、荷重を吸収する。なお、図９に示すように、フードインナー３２の冷熱器支持部５５を、後縁部５７が前縁部５６よりも浅いエンボス構造とすることにより、前方からの荷重をフードインナー３２を介して冷熱器へ伝わりやすくすることができ、且つ、冷熱器を後方へ開放しやすくすることができるため、車両１３前方もしくは上方からの荷重を効率的に吸収することが可能となる。また、フードロック機構８０が掛ったままとなっているが、フードロック機構８０を冷熱器１９，２０と一体にしたため、フードロック機構８０は冷熱器１９，２０を押出すように作用する。それにより、フード１２と冷熱器１９，２０はフードロック機構８０によって一体となったまま後方へ変位する。この時、冷熱器１９，２０下端では、冷熱器支持部４３の車両前方部分４６の前方に形成した開放溝４８により、冷熱器下端マウント用部材４１を開放する。
【００４５】
このように、この実施の形態によれば、ラジコアアッパーをなくし、フード１２で直接冷熱器１９，２０上端を支持するようにしたため、フード１２を開けると冷熱器１９，２０は冷熱器位置決機構６５および冷熱器１９，２０下端以外の拘束がなくなりフリーとなる。そこで、冷熱器位置決機構６５によって冷熱器１９，２０を所定の前傾位置まで前傾させれば、フロントガラス１１下端と冷熱器１９，２０とのクリアランスが拡がり、また、ラジコアアッパーがないため上方を遮るものもなく、奥にあって取り出しにくい部品も取り出すことができる。フードロック機構８０は冷熱器１９，２０の前傾を阻害しない位置に設けているため、冷熱器１９，２０は可撓性を有する冷熱器配管４４，４５の耐久性保証範囲で大きく前傾させることができる。また、走行中に車両１３前方もしくは上方から荷重が入力されたとしても、フードアウター３１とフードインナー３２との間に設けられたフードインナー部材６１がフードインナー３２の冷熱器支持部５５を変形させて冷熱器１９，２０を後方へ開放し、荷重を効率的に吸収させる。冷熱器１９，２０下端に対するラジコアロアメンバー１８の支持は冷熱器下端マウント用部材４１と冷熱器支持部４３との嵌合であり、剛体構造ではなくフリーであるため無理な力が作用することもない。冷熱器位置決機構６５は、冷熱器１９，２０の前傾については規制しているが冷熱器１９，２０の後方への移動は規制していないため、冷熱器１９，２０に無理な力が作用することがなく、衝撃を吸収しやすい。また、冷熱器１９，２０の損傷も防止することができる。以上により、フロントガラス１１下端と冷熱器１９，２０とのクリアランスがないかまたは狭いエクステリアデザインの車、例えば、ショートノーズ車等で、バッテリー交換やヒューズ交換が困難な状況化であっても、フード１２を開け冷熱器１９，２０をワンタッチで前傾させるだけの簡単な手順で部品交換や整備が容易となり、以て、整備性を向上することができる。同時に、車両１３前方もしくは上方からの荷重に対する荷重吸収性能を向上することができる。更に、その結果として、フロント周りの造形の自由度も向上させることが可能となる。
【００４６】
また、冷熱器支持部４３の車両後方部分４７と冷熱器下端マウント用部材４１との間に隙間ができるようになるので、冷熱器１９，２０を前傾させた時に、冷熱器下端マウント用部材４１はこの隙間へ逃げることができ、冷熱器１９，２０を前傾させやすくなる。また、冷熱器支持部４３は平面視略卵型形状をしているので、冷熱器１９，２０を定常位置に戻す時に、冷熱器下端マウント用部材４１が狭くなった車両後方部分４７に押されて戻りやすい。この車両後方部分４７が狭くなった車両後方部分４７に挟まれる時に冷熱器下端マウント用部材４１に力が加わるため、冷熱器下端マウント用部材４１の後方を厚肉にすれば耐久性を向上させることができる。また、車両前方部分４６の前方に設けた開放溝４８により、車両１３前方もしくは上方から荷重が入力された場合に冷熱器下端マウント用部材４１の固定が開放されてその荷重を効果的に吸収することができる。
【００４７】
更に、フードインナー３２の冷熱器支持部５５を、後縁部５７が前縁部５６よりも浅いエンボス構造とすることにより、前方からの荷重をフードインナー３２を介して冷熱器へ伝わりやすくすることができ、且つ、冷熱器を後方へ開放しやすくすることができるため、車両１３前方もしくは上方からの荷重を効率的に吸収することが可能となる。
【００４８】
そして、フードインナー３２の冷熱器支持部５５を、後縁部５７が前縁部５６よりも薄肉となるようにすることにより、荷重入力時に冷熱器を後方へ開放しやすくすることができる。
【００４９】
更に、フードアウター３１に入力された荷重をフードインナー３２へ伝達し、フードインナー３２の冷熱器支持部５５後部を引伸すことで冷熱器を後方へ開放することができる。
【００５０】
そして、定常位置保持部６７によって冷熱器１９，２０を定常位置に仮保持することができるため、フード１２閉止時にフードインナー３２の冷熱器支持部５５と冷熱器上端マウント用部材４２との位置がずれることなく、フード１２を閉止することによる本保持を安定して行うことができる。また、前傾位置保持部６８によって冷熱器１９，２０を無理な角度まで前傾させることがなく且つ可撓性を有する冷熱器配管４４，４５の耐久性保証範囲で冷熱器１９，２０を前傾させることができる。更に、後方移動開放溝７１により、荷重入力時に冷熱器１９，２０を後方へ開放することができる。
【００５１】
更に、フードロック機構８０を冷熱器１９，２０と一体にしたため、冷熱器１９，２０の前方傾斜角を大きく取ることができるようになると共に、車両１３前方もしくは上方から荷重が入力された時に、フードロック機構８０がフード１２や冷熱器１９，２０と一緒に後方へ移動するので、その荷重を効果的に吸収することができる。
【００５２】
【変形例】
図２０はこの実施の形態の第１の変形例であり、冷熱器１９’を直列配置としたものである。この場合に、フードロック機構８０は、冷熱器１９’の略車両１３中央位置に一体に取付けるようにしている。
【００５３】
図２１はこの実施の形態の第２の変形例であり、フードインナー３２の冷熱器支持部５５における後縁部５７を、別部材３２’にすることにより、前縁部５６よりも薄肉化するようにしたものである。このように、フードインナー３２の冷熱器支持部５５を、後縁部５７が前縁部５６よりも薄肉となるようにすることにより、荷重入力時に冷熱器を後方へ開放しやすくすることができる。
【００５４】
図２２はこの実施の形態の第３の変形例であり、フードインナー部材６１’を、全ての冷熱器上端マウント用部材４２に対応する大きさにして１箇所設けるようにしたものである。
【００５５】
なお、上記以外の部分については、上記実施の形態と同様の構成を備えており、同様の作用・効果を得ることができる。
【００５６】
【発明の効果】
以上説明してきたように、請求項１の発明によれば、ラジコアアッパーをなくし、フードで直接冷熱器上端を支持するようにしたため、フードを開けると冷熱器は冷熱器位置決機構以外の拘束がなくなりフリーとなる。そこで、冷熱器位置決機構によって冷熱器を所定の前傾位置まで前傾させれば、フロントガラス下端と冷熱器とのクリアランスが拡がり、また、ラジコアアッパーがないため上方を遮るものもなく、奥にあって取り出しにくい部品も取り出すことができる。フードロック機構は冷熱器の前傾を阻害しない位置に設けているため、冷熱器は可撓性を有する冷熱器配管の耐久性保証範囲で大きく前傾させることができる。また、走行中に車両前方もしくは上方から荷重が入力されたとしても、フードに設けられたフードインナー部材がフードインナーの冷熱器支持部を変形させて冷熱器を後方へ開放し、荷重を効率的に吸収させる。冷熱器下端に対するラジコアロアメンバーの支持は冷熱器下端マウント用部材と冷熱器支持部との嵌合であり、剛体構造ではなくフリーであるため無理な力が作用することもない。冷熱器位置決機構は、冷熱器の前傾については規制しているが冷熱器の後方への移動は規制していないため、冷熱器に無理な力が作用することがなく、衝撃を吸収しやすい。また、冷熱器の損傷も防止することができる。以上により、フロントガラス下端と冷熱器とのクリアランスがないかまたは狭いエクステリアデザインの車、例えば、ショートノーズ車等で、バッテリー交換やヒューズ交換が困難な状況化であっても、フードを開け冷熱器をワンタッチで前傾させるだけの簡単な手順で部品交換や整備が容易となり、以て、整備性を向上することができる。同時に、車両前方もしくは上方からの荷重に対する荷重吸収性能を向上することができる。更に、その結果として、フロント周りの造形の自由度も向上させることが可能となる。
【００５７】
請求項２の発明によれば、冷熱器支持部の車両後方部分と冷熱器下端マウント用部材との間に隙間ができるようになるので、冷熱器を前傾させた時に、冷熱器下端マウント用部材はこの隙間へ逃げることができ、冷熱器を前傾させやすくなる。また、冷熱器支持部は平面視略卵型形状をしているので、冷熱器を定常位置に戻す時に、冷熱器下端マウント用部材が狭くなった車両後方部分に押されて戻りやすい。この車両後方部分が狭くなった車両後方部分に挟まれる時に冷熱器下端マウント用部材に力が加わるため、冷熱器下端マウント用部材の後方を厚肉にすれば耐久性を向上させることができる。また、車両前方部分の前方に設けた開放溝により、車両前方もしくは上方から荷重が入力された場合に冷熱器下端マウント用部材の固定が開放されてその荷重を効果的に吸収することができる。
【００５８】
請求項３の発明によれば、フードインナーの冷熱器支持部を、後縁部が前縁部よりも浅いエンボス構造とすることにより、前方からの荷重をフードインナーを介して冷熱器へ伝わりやすくすることができ、且つ、冷熱器を後方へ開放しやすくすることができるため、車両前方もしくは上方からの荷重を効率的に吸収することが可能となる。
【００５９】
請求項４の発明によれば、フードの冷熱器支持部を、後縁部が前縁部よりも薄肉となるようにすることにより、荷重入力時に冷熱器を後方へ開放しやすくすることができる。
【００６０】
請求項５の発明によれば、フードアウターに入力された荷重をフードインナーへ伝達し、フードインナーの冷熱器支持部後部を引伸すことで冷熱器を後方へ開放することができる。
【００６１】
請求項６の発明によれば、定常位置保持部によって冷熱器を定常位置に仮保持することができるため、フード閉止時にフードインナーの冷熱器支持部と冷熱器上端マウント用部材との位置がずれることなく、フードを閉止することによる本保持を安定して行うことができる。また、前傾位置保持部によって冷熱器を無理な角度まで前傾させることがなく且つ可撓性を有する冷熱器配管の耐久性保証範囲で冷熱器を前傾させることができる。更に、後方移動開放溝により、荷重入力時に冷熱器を後方へ開放することができる。
【００６２】
請求項７の発明によれば、フードロック機構を冷熱器と一体にしたため、冷熱器の前方傾斜角を大きく取ることができるようになると共に、車両前方もしくは上方から荷重が入力された時に、フードロック機構がフードや冷熱器と一緒に後方へ移動するので、その荷重を効果的に吸収することができる、という実用上有益な効果を発揮し得る。
【図面の簡単な説明】
【図１】本発明の実施の形態にかかる車両のフロント部の斜視図である。
【図２】図１のフードを除去した状態を示す図である。
【図３】図２の側方断面図である。
【図４】図３の部分拡大図である。
【図５】ラジコアロアメンバーの斜視図である。
【図６】（ａ）は冷熱器支持部部分の側面図、（ｂ）はその平面図である。
【図７】冷熱器支持部を示す車両のフロント部の斜視図である。
【図８】冷熱器支持部の斜視図である。
【図９】冷熱器支持部の側方断面図である。
【図１０】フードインナー部材の斜視図である。
【図１１】冷熱器位置決機構を示す車両のフロント部の斜視図である。
【図１２】図１１の部分拡大図である。
【図１３】図１２の位置決機構本体の側面図である。
【図１４】図１２のＬ字型チューブの側方断面図である。
【図１５】フードを開放した作動状態を示す車両のフロント部の側方断面図である。
【図１６】（ａ）（ｂ）（ｃ）は、冷熱器を前後傾させた作動状態を示す側方断面図である。
【図１７】（ａ）（ｂ）（ｃ）は、冷熱器を前後傾させた作動状態を示す平面図である。
【図１８】（ａ）（ｂ）（ｃ）は、荷重入力状態を示す車両のフロント部の側方断面図である。
【図１９】（ａ）（ｂ）（ｃ）は、荷重入力状態を示す冷熱器支持部の側方断面図である。
【図２０】実施の形態の第１の変形例にかかる図２と同様の図である。
【図２１】実施の形態の第２の変形例にかかる図９と同様の図である。
【図２２】実施の形態の第３の変形例にかかる図１０と同様の図である。
【図２３】第１の従来例の説明図である。
【図２４】第２の従来例の説明図である。
【図２５】第３の従来例の説明図である。
【符号の説明】
１１  フロントガラス
１２  フード
１３  車両
１８  ラジコアロアメンバー
１９  冷熱器
２０  冷熱器
３１  フードアウター
３２  フードインナー
４１  冷熱器下端マウント用部材
４２  冷熱器上端マウント用部材
４３  冷熱器支持部
４４  冷熱器配管
４５  冷熱器配管
４６  車両前方部分
４７  車両後方部分
４８  開放溝
５５  冷熱器支持部
５６  前縁部
５７  後縁部
６１  フードインナー部材
６５  冷熱器位置決機構
６７  定常位置保持部
６８  前傾位置保持部
６９  スライド溝
７１  後方移動開放溝
８０  フードロック機構
【図１】
0004045851.tif 000002
【図２】
0004045851.tif 000003
【図３】
0004045851.tif 000004
【図４】
0004045851.tif 000005
【図５】
0004045851.tif 000006
【図６】
0004045851.tif 000007
【図７】
0004045851.tif 000008
【図８】
0004045851.tif 000009
【図９】
0004045851.tif 000010
【図１０】
0004045851.tif 000011
【図１１】
0004045851.tif 000012
【図１２】
0004045851.tif 000013
【図１３】
0004045851.tif 000014
【図１４】
0004045851.tif 000015
【図１５】
0004045851.tif 000016
【図１６】
0004045851.tif 000017
【図１７】
0004045851.tif 000018
【図１８】
0004045851.tif 000019
【図１９】
0004045851.tif 000020
【図２０】
0004045851.tif 000021
【図２１】
0004045851.tif 000022
【図２２】
0004045851.tif 000023
【図２３】
0004045851.tif 000024
【図２４】
0004045851.tif 000025
【図２５】
0004045851.tif 000026